(57)【要約】【課題】  紙詰まり等のジャムが発生した場合に、迅速にジャムが解除されたか否かを検出することができる画像処理装置を提供する。【解決手段】  画像処理装置１００は、記録用紙の搬送中に発生したジャムの箇所を検出する位置検出手段４１と、前記位置検出センサ６９の検出結果に基づいてジャム状態を判別する判別手段４２と、ジャムが解消したかを検査する検査手段４３と、前記検査手段４３によるジャムの箇所の検査が終了した時に処理を再開させる再開手段４４とを備える。  位置検出センサ６９がジャムの発生を検出すると（Ｓ２）、辺別手段がジャム状態を判別すると同時に、ジャムの発生を報知する（Ｓ４）。除去作業が終了（Ｓ５）すると検査手段４３がテストシートを搬送する（Ｓ６）。テストシートがジャムした箇所を通過するか否かを検出し（Ｓ８）、所定時間内に検出したら処理を再開する（Ｓ１０）。【選択図】図１１
2008056465.tif 000002
【特許請求の範囲】
【請求項１】
画像を形成するためのシートを搬送する搬送手段と、シートの搬送中に異常が発生した時に処理を中断させて異常箇所を検出する位置検出手段と、前記異常箇所の異常が解消したかをテストシートを搬送路に搬送して、前記テストシートが前記搬送路を通過するか否かで異常が解消したかを検査する検査手段と、前記検査手段による異常箇所の検査が終了した時に処理を再開させる再開手段とを備えたことを特徴とする画像処理装置。
【請求項２】
テストシートは、搬送路を搬送可能な最小サイズのシートであることを特徴とする請求項１に記載の画像処理装置。
【請求項３】
テストシートは、搬送路を搬送可能な最大幅のシートであることを特徴とする請求項１に記載の画像処理装置。
【請求項４】
テストシートは、搬送部材をクリーニングするクリーニングシートであることを特徴とする請求項１に記載の画像処理装置。
【請求項５】
シートを収容する複数の収容部を備え、
テストシートは、異常発生時に搬送されていたシートと同じ収容部のシートであることを特徴とする請求項１に記載の画像処理装置。
【請求項６】
再開手段は、テストシートを使用して処理を再開することを特徴とする請求項５に記載の画像処理装置。
【請求項７】
シートを収容する複数の収容部を備え、
テストシートは、異常発生箇所から一番近い距離にある収容部のシートであることを特徴とする請求項１に記載の画像処理装置。
【請求項８】
位置検出手段の検出結果に基づいて、異常状態を判別する判別手段を備え、
前記位置検出手段は、搬送中のシートを検出する複数の位置検出センサを有し、
前記判別手段は、隣り合う２つの位置検出センサの検出結果に基づいてシートの異常状態を判別し、
再開手段は、前記判別手段の判別結果と２つの位置検出センサの検出結果とから処理を再開することを特徴とする請求項１に記載の画像処理装置。
【請求項９】
シート搬送方向上流側に位置する一方の位置検出センサがシートの通過を検出し、かつ、シート搬送方向下流側に位置する他方の位置検出センサが前記シートの到着を検出しなかったときに、
判別手段は、前記一方の位置検出センサと前記他方の位置検出センサとの間にシートが詰まった未到着ジャムと判別することを特徴とする請求項８に記載の画像処理装置。
【請求項１０】
判別手段が、未到着ジャムと判別したとき、
再開手段は、他方の位置検出センサが、テストシートの到着を検出したときに、処理を再開することを特徴とする請求項９に記載の画像処理装置。
【請求項１１】
いずれか一方の位置検出センサがシートを所定時間以上検出し続けたときに、
判別手段は、前記シートを検出した位置検出センサのところでシートが詰まった滞留ジャムと判別することを特徴とする請求項８に記載の画像処理装置。
【請求項１２】
判別手段が、滞留ジャムと判別したとき、
再開手段は、シートを検出した位置検出センサが、テストシートの通過を検出したら、処理を再開することを特徴とする請求項１１に記載の画像処理装置。
【請求項１３】
一方の位置検出センサが、シートが定着ユニットを通過したかを検出する定着センサとされ、
他方の位置検出センサが、シートが転写ユニットを通過したかを検出する転写センサとされ、
再開手段は、判別手段の判別結果に問わず、テストシートが前記定着センサを通過したときに、処理を再開することを特徴とする請求項８に記載の画像処理装置。
【発明の詳細な説明】
【技術分野】
【０００１】
本発明は、プリンタ、複写機、原稿読取装置等の各種の画像処理装置に関する。
【背景技術】
【０００２】
画像処理装置は、コピーモード、プリントモード、スキャナモード、ファクシミリモードと言った多様な画像処理を行なう。このような画像処理装置は、情報を記録した原稿の画像情報を読み取る原稿載置台（コンタクトガラス）に搬送する原稿搬送装置と、読み取った画像情報を記録用紙に印字する印字部に搬送する用紙搬送装置とを備える。これら装置は、原稿あるいは用紙の束を１枚ずつ、原稿載置台あるいは印字部に搬送する。
【０００３】
ところで、原稿あるいは記録用紙と言ったシートを搬送する際、静電気や湿気等によって、複数枚のシートが重なって搬送されることがある。そのため、搬送されたシートが搬送経路中に停滞し、シート詰まり（以下、ジャムという）が発生する。ジャムが発生した場合、このジャムが発生した箇所を検出し、ジャムしたシートを除去した後に処理を再開させているが、例えば、シートを除去する際に切れ端や破片等の細かな残骸が残っている可能性がある。この場合、処理を再開すると再びジャムが発生する可能性がある。
【０００４】
そこで、引用文献１に示すように、処理再開前にテストシートを搬送させ、ジャムが解消されたか否かを検出する紙詰まり解消検出方法および装置が開示されている。
【特許文献１】特開平０８−１０８９６８公報
【発明の開示】
【発明が解決しようとする課題】
【０００５】
ところで、特許文献１では、処理の再開は、テストシートが搬送路から排出された後とされている。このような方法では、例えば、搬送路の全長が長い場合、テストシートが搬送路の全てを通過するまでに時間がかかる。そうすると、昨今の画像処理装置の目的である高速印字処理を達成することができない問題がある。
【０００６】
そこで、本発明は、上記問題を鑑み、紙詰まりなどジャムが発生した場合に、ジャムが解除されたか否かを素早く検出することができる画像処理装置の提供を目的とする。
【課題を解決するための手段】
【０００７】
上記目的を達成するために、本発明では、画像を形成するためのシートを搬送する搬送手段と、シートの搬送中に異常が発生した時に処理を中断させて異常箇所を検出する位置検出手段と、前記異常箇所の異常が解消したかをテストシートを搬送路に搬送して、前記テストシートが前記搬送路を通過するか否かで異常が解消したかを検査する検査手段と、前記検査手段による異常箇所の検査が終了した時に処理を再開させる再開手段とを備えたことを特徴とする。
【０００８】
上記構成によると、画像処理装置は、コピー、ファックス、プリント等のシートに画像を形成する処理を行なうために原稿や記録用紙といったシートを搬送する。シートを搬送中に異常が発生すると、画像処理装置は、その処理を中断する。異常を解消させた後に、検査手段は、異常箇所にテストシートを搬送することで、異常が解消しているかを検査する。すなわち、一度、異常箇所にテストシートを搬送することで、搬送路中に残った残骸や切れ端等がないか確認できる。再開手段は、テストシートが異常箇所に到着あるいは異常箇所を通過したときに異常が解消していると判断することができるので、処理を再開する。
【０００９】
これにより、テストシートが搬送路から排出されるのを待つ必要がなく、異常状態が回復したかを素早く検出することができ、処理の再開を早くすることができる。なお、異常とは、搬送路にシートが詰まってしまうシート詰まりや、シートの通過を検出する検出センサ類の誤反応等である。異常箇所とは、異常が発生した箇所であって、具体的には、例えば、搬送路において搬送中のシートが詰まった箇所を示す。
【００１０】
ここで、テストシートとしては、種々考えることができる。例えば、搬送路を搬送可能な最小サイズのシートを使用することができる。テストシートは、搬送した後は破棄してしまう。例えば、異常の原因が搬送路を搬送可能な最大サイズのシートが詰まった場合、それと同等のサイズを搬送する度に破棄しているとコストがかかる。そこで、テストシートとして搬送路を搬送可能な最小サイズのシートを使用することでコストを削減することができる。
【００１１】
また、搬送路を搬送可能な最大幅のシートを使用することができる。この場合、どのサイズのシートが詰まったとしても、搬送路の幅方向全域に亘って残骸や切れ端等がないか確認することができる。
【００１２】
また、搬送部材をクリーニングする不織布や化繊ペーパ等のクリーニングシートを使用することができる。ここで、搬送部材とは、シートを搬送するローラや搬送路等である。この場合、テストシートは、異常箇所の原因が解消したかを確認するだけでなく、同時に搬送部材をクリーニングすることができる。これにより、処理が再開したときのシートがトナー等によって汚れることを防止することができる。
【００１３】
また、異常発生時に搬送されていたシートと同じ収容部のシートを使用することができる。画像処理装置は、シートを収容する複数の収容部を備える。この場合、異常が発生した状態と同じ条件で検査することができる。すなわち、異常時と同じ搬送経路に沿って検査することができるので、異常箇所に対して正確な検査を行なうことができる。また、テストシートが、異常が発生したときと同じシートを使用するので、再開手段が、このテストシートを使用して処理を再開することができる。これにより、より迅速に処理を再開することができる。
【００１４】
さらに、異常発生箇所から一番近い距離にある収容部のシートを使用することができる。この場合、テストシートを早く異常箇所に搬送することができる。これにより、異常によって停止している時間を短縮することができる。
【００１５】
また、位置検出手段の検出結果に基づいて、異常状態を判別する判別手段を備え、前記位置検出手段は、搬送中のシートを検出する複数の位置検出センサを有し、前記判別手段は、隣り合う２つの位置検出センサの検出結果に基づいてシートの異常状態を判別し、再開手段は、前記判別手段の判別結果と２つの位置検出センサの検出結果とから処理を再開することを特徴とする。
【００１６】
具体的には、シート搬送方向上流側に位置する一方の位置検出センサがシートの通過を検出し、かつ、シート搬送方向下流側に位置する他方の位置検出センサが前記シートの到着を検出しなかった場合、判別手段は、前記一方の位置検出センサと前記他方の位置検出センサとの間にシートが詰まった未到着ジャムと判別し、再開手段は、他方の位置検出手段が、搬送されたテストシートが到着したのを検出したときに、処理を再開する。
【００１７】
また、いずれか一方の位置検出センサがシートを所定時間以上検出し続けた場合、判別手段は、前記シートを検出した位置検出センサのところでシートが詰まった滞留ジャムと判別し、再開手段は、シートを検出した位置検出手段が、搬送されたテストシートが通過したことを検出したら、処理を再開する。
【００１８】
ただし、一方の位置検出センサが、搬送中のシートが定着ユニットを通過したかを検出する定着センサとされ、他方の位置検出センサが、搬送中のシートが転写ユニットを通過したかを検出する転写センサの場合は、再開手段は、判別手段の判別結果に問わず、搬送されたテストシートが前記定着センサを通過したときに、処理を再開する。
【００１９】
定着ユニットにシートが詰まっていると、定着ユニットで発生する熱によるシートの貼り付きが起こる。そのため、再開手段は、テストシートが完全に定着ユニットを通過してから処理を再開させる。
【発明の効果】
【００２０】
本発明は、異常の原因の除去後にテストシートを搬送させ、テストシートが異常箇所を通過したところで異常が解消したか否かを検出する。これにより、テストシートが搬送路から排出されるのを待つ必要がなく、異常状態が回復したかを素早く検出することができ、処理の再開を早くすることができる。
【発明を実施するための最良の形態】
【００２１】
本実施形態の画像処理装置を図１に示す。画像処理装置１００は、シート搬送装置である原稿搬送装置１ａによって搬送された原稿をスキャンして得られた画像データ、あるいは、外部から伝達された画像データに応じて、用紙搬送装置１ｂによって搬送された所定の記録用紙に対してモノクロあるいはカラー等の画像を形成するものである。
【００２２】
画像処理装置１００は、原稿搬送装置１ａと、用紙搬送装置１ｂと、画像読取部２と、光書込ユニット３と、現像器４と、感光体５と、帯電器６と、クリーナユニット７と、転写ユニット８と、定着ユニット９と、用紙搬送路１０と、原稿搬送路Ｓ１とを有する。
【００２３】
原稿搬送装置１ａは、図２に示すように、原稿束が載置される収容部である原稿トレイ２７と、原稿束から原稿を原稿搬送路Ｓ１へ送り出すピックアップローラ２８と、原稿搬送路Ｓ１へ送り出された原稿を１枚ずつ分離させながら原稿搬送路Ｓ１の下流側へ搬送する給紙ローラ２９および捌きローラ３０と、原稿を原稿搬送路Ｓ１に沿って搬送するための駆動ローラ３１と従動ローラ３２とからなる一対の搬送ローラ３４と、画像読取部２に所定のタイミングで原稿を送り出すレジストローラ３３と、画像の読み取りを終えた原稿を排紙トレイ３６へ排出する排紙ローラ３７とを有する。
【００２４】
原稿搬送装置１ａは、原稿トレイ２７に載置された原稿束の内、一番上の原稿をピックアップローラ２８によって送り出し、同方向に回転している給紙ローラ２９と捌きローラ３０によって１枚ずつ原稿搬送路Ｓ１に搬送する。そして、原稿搬送装置１ａは、搬送された原稿を搬送ローラ３４およびレジストローラ３３を通って画像読取部２に搬送する。その後、画像の読み取りを終えた原稿を排紙ローラ３７によって排紙トレイ３６へ排出する。
【００２５】
画像読取部２は、光源ホルダ１３と、ミラー群１４と、ＣＣＤ１５とを有する。原稿搬送装置１ａから送られてくる原稿をスキャンする場合、光源ホルダ１３およびミラー群１４は静止した状態で、原稿の画像をスキャンする。詳しくは、原稿搬送装置１ａから原稿が搬送されてくると、光源ホルダ１３の光源から原稿に光が照射され、原稿から反射された光がミラー群１４を介して光路変換されＣＣＤ１５に結像され、電子的な画像データに変換される。
【００２６】
帯電器６は、感光体５の表面を所定の電位に均一に帯電させるための帯電手段である。なお、本実施形態では、チャージャー型の帯電器６を用いているが、接触型のローラ型やブラシ型の帯電器を用いることもできる。
【００２７】
光書込ユニット３は、高速印字処理に対応するために、２つのレーザ照射部１６ａ，１６ｂを備えた２ビーム方式を採用しており、照射タイミングの高速化に伴う負担が軽減されている。そして、入力された画像データに応じてレーザ照射部１６ａ，１６ｂからレーザ光を照射し、ミラー群１７ａ，１７ｂを介して帯電器６によって均一に帯電された感光体５を露光することで、感光体５の表面に画像データに応じた静電潜像が形成される。
【００２８】
なお、本実施形態では、光書込ユニット３として、レーザ照射部１６ａ，１６ｂおよびミラー群１７ａ，１７ｂを備えたレーザスキャニングユニットを用いているが、発光素子をアレイ状に並べたＥＬ書き込みヘッドやＬＥＤ書き込みヘッドを用いることもできる。
【００２９】
感光体５の近傍に配された現像器４は、感光体５の表面に形成された静電潜像を黒色のトナーで顕像化するものである。また、感光体５の周囲に配されたクリーナユニット７は、現像・画像転写後に感光体５の表面に残留したトナーを除去・回収するものである。
【００３０】
感光体５の表面に顕像化された静電像は、搬送されてくる用紙に対して転写ユニット８から静電像が有する電荷と逆極性の電界が印加されることにより記録用紙上に転写される。例えば、静電像が負の極性の電荷を有している場合、転写ユニット８の印加極性は正の極性となる。
【００３１】
転写ユニット８の転写ベルト１９は、駆動ローラ２０、従動ローラ２１および他のローラで張架され、所定の抵抗値（１×１０９〜１×１０１３Ω・ｃｍ）を有している。感光体５と転写ベルト１９との接触部には、導電性を有し転写電界を印加することが可能な弾性導電性ローラ２２が配置されている。
【００３２】
転写ユニット８で記録用紙上に転写された静電像、すなわち、未定着トナーは、定着ユニット９に搬送されることにより、未定着トナーが溶融され、記録用紙上に定着する。
【００３３】
定着ユニット９は、加熱ローラ２３と加圧ローラ２４とを備える。加熱ローラ２３の内周部には、加熱ローラ２３の表面を所定温度（約１６０〜２００℃）の熱源が内蔵されている。他方、加圧ローラ２４は、加熱ローラ２３に対して所定圧で圧接するようにその両端に図示しない加圧部材が配置されている。
【００３４】
これにより、加熱ローラ２３と加圧ローラ２４との加圧部材において、搬送されてくるシート上の未定着トナーを加熱ローラ２３で加熱して溶融させ、加圧部材での加圧することによりシート上に定着させる。
【００３５】
用紙搬送装置１ｂは、図３に示すように、画像形成に使用する記録用紙を蓄積しておく給紙トレイ１１と、記録用紙束から記録用紙を用紙搬送路１０へ送り出すピックアップローラ６１と、用紙搬送路１０へ送り出された記録用紙を１枚ずつ分離させながら用紙搬送路１０の下流側へ搬送する給紙ローラ６３および捌きローラ６４と、記録用紙を用紙搬送路１０に沿って搬送するための駆動ローラ６５と従動ローラ６６とからなる一対の搬送ローラ６６ａと、光書込ユニット３に所定のタイミングで記録用紙を送り出すレジストローラ６７と、画像の印字処理を終えた記録用紙を排紙トレイ１２へ排出する排紙ローラ７３と、給紙トレイ１１または手差しトレイ２６から搬送された記録用紙が所定のタイミングで用紙搬送路１０を通過したかを検出する位置検出センサ６９とを有する。
【００３６】
給紙トレイ１１は、画像形成に使用する記録用紙を蓄積しておくための収容部である。給紙トレイ１１は、ユーザから印字要求がされると、給紙トレイ１１を上方へ移動させ、ピックアップローラ６１に記録用紙束の上側を接触させる。本実施形態では、画像処理装置１００の下方に複数設けられている。
【００３７】
本実施形態は、高速印字処理を目的としているため、各給紙トレイ１１には、定型サイズの記録用紙を５００〜１５００枚収納可能な容積が確保されている。また、画像処理装置１００の側方には、複数種の記録用紙を多量に収納可能な大容量給紙カセット２５と、不定型サイズの印字等に用いる手差しトレイ２６とが設けられている。
【００３８】
ピックアップローラ６１は、記録用紙束から記録用紙を用紙搬送路１０へ送り出すローラであって、給紙トレイ１１の搬送方向下流側端部の上方に配置される。ピックアップローラ２８は、給紙トレイ１１に載置された記録用紙束のうち最も上に位置する記録用紙を用紙搬送路１１へ送り出す。
【００３９】
給紙ローラ６３は、捌きローラ６４と対となって、記録用紙を用紙搬送路１０に送り出すローラであって、ピックアップローラ６１から搬送された記録用紙を１枚ずつ用紙搬送路１０に送り出す。詳しくは、給紙ローラ６３および捌きローラ６４は、夫々がモータ等の各駆動装置によって同方向に回転する。給紙ローラ６３は、捌きローラ６４に対して用紙搬送路１０を挟んで下側に位置する。これにより、重なって搬送された記録用紙を１枚ずつ用紙搬送路１０に送り出すことができる。
【００４０】
搬送ローラ６６ａは、駆動ローラ６５と従動ローラ６６とから一対のローラであって、用紙搬送路１０を流れる原稿を順次搬送する。搬送ローラ６６ａは、用紙搬送路１０に複数備えられる。
【００４１】
駆動ローラ６５は、モータ等の駆動装置によって回転する。駆動ローラ６５は、従動ローラ６６に対して用紙搬送路１０を挟んで下側に位置する。従動ローラ６６は、搬送される原稿を駆動ローラ６５に押し当てるローラであって、駆動ローラ６５の回転に追従して回転する。駆動ローラ６５と従動ローラ６６との間は記録用紙が一枚通る間隔とされる。すなわち、搬送される記録用紙を駆動ローラ６５と従動ローラ６６とによって挟持する。これにより、駆動ローラ６５は、記録用紙に的確に回転を伝達することができ、停止することなく搬送することができる。
【００４２】
レジストローラ６７は、モータ等の駆動装置によって回転する駆動ローラ６７ａと、駆動ローラ６７ａの回転に従動する従動ローラ６７ｂとからなる一対のローラである。レジストローラ６７は、感光体５に対して搬送方向上流側に位置する。レジストローラ６７は、搬送ローラ６６ａによって搬送された記録用紙の先端を整合し、所定のタイミングで感光体５に搬送する。
【００４３】
排紙トレイ１２は、手差しトレイ２６とは反対側の側面に配置される。また、排紙トレイ１２は、それに代えて、排紙用紙の後処理装置（ステープル、パンチ処理等々）や、複数段排紙トレイをオプションとして配置することも可能な構成となっている。
【００４４】
位置検出センサ６９は、リミットスイッチや光センサ等の検出装置であって、用紙搬送路１０を流れる記録用紙が所定のタイミングで通過したかを検出する。位置検出センサ６９は、図３に示すように、用紙搬送路１０に複数備えられる。
【００４５】
また、画像処理装置１００は、図４に示すように、使用者の入力を受け付ける操作部５１と、画像データを保存するハードディスク装置５２と、外部機器とのデータ通信を行なう通信部５３と、ファクシミリ装置と通信するためのＦＡＸモデム５４と、装置全体の制御情報や設定情報等を記憶している管理部５５と、装置全体の制御を司るＣＰＵからなる機器制御部５０とを備えている。
【００４６】
操作部５１は、各種入力キーからなる入力部と、液晶ディスプレイ等の表示部とを有する。表示部は、タッチパネルとされ、入力部としても機能する。操作部５１において、装置全体の操作指示や各種設定の入力が行われ、入力内容や装置全体の動作状況が表示される。この操作部５１は、操作指示の入力を受け付ける入力手段として機能する。
【００４７】
ハードディスク装置５２は、画像データを一時的に保存する記憶手段として機能する。暗号化復号化部は、画像データに対して暗号化処理あるいは復号化処理を行なう。ハードディスク装置５２に画像データが保存されるとき、暗号化復号化部によって、画像データは暗号化される。ハードディスク装置５２から暗号化された画像データを読み出すとき、画像データは復号化される。
【００４８】
通信部５３は、ＬＡＮケーブルを介してルータ、スイッチングハブ等に接続され、パソコン、サーバ等の情報処理装置によって形成されたネットワークと接続される。ネットワークは、電話回線網や光ファイバ等の通信回線を介してインターネットに接続される。通信部５３は、ネットワーク内の情報処理装置とデータの送受信を行なうとともに、インターネットを通じて外部の情報処理装置とデータや電子メールの送受信を行なう。さらに、インターネットを通じてファクシミリ装置とインターネットファクシミリ通信も行なう。ＦＡＸモデムは、電話線を介して電話回線網に接続され、外部のファクシミリ装置とファクシミリ通信を行なう。
【００４９】
通信部５３およびＦＡＸモデム５４は、情報処理装置やファクシミリ装置といった外部装置から画像データを受信して入力する。すなわち、これらは画像データ入力手段として機能する。また、通信部５３は、外部装置から画像データを入力したとき、操作指示の入力も同時に受け付けため、入力手段としても機能する。さらに、通信部５３およびＦＡＸモデム５４は、画像データを外部装置に送信するという処理を実行するため、処理手段として機能する。
【００５０】
機器制御部５０は、ＣＰＵと、ＣＰＵが実行する制御プログラムを格納するＲＯＭと、ＣＰＵにワークエリアを提供するＲＡＭと、制御データを保持する不揮発性メモリと、画像処理装置１００の各部検出手段からの信号が入力される入力回路と、画像処理装置１００の各部駆動機構を作動させるアクチュエータやモータを駆動させるドライバ回路と、レーザ照射部１６ａ，１６ｂを駆動する出力回路とを有する。
【００５１】
次に、用紙搬送装置１ｂについて、図５〜図１０に基づいて詳しく説明する。用紙搬送装置１ｂは、前述したように、用紙トレイ１１がユーザからの印字指示に基づいて上方へ移動し、記録用紙束のうち最も上に位置する記録用紙からピックアップローラ６１によって用紙搬送路１０へ送り出され、給紙ローラ６３および捌きローラ６４によって用紙搬送路１０の搬送方向下流側に１枚ずつ搬送される。
【００５２】
通常、仮に記録用紙が２枚以上重なった状態で用紙搬送路１０へ送り出された場合、捌きローラ３０によって重送状態が解消され、上述のように給紙ローラ２９によって用紙搬送路１０の搬送方向下流側へ１枚ずつ搬送される。
【００５３】
しかし、本実施形態の用紙搬送装置１ｂは、高速印字処理に対応するために、記録用紙を高速で搬送する必要がある。そのため、捌きローラ６４を設けていても記録用紙が２枚以上重なった状態で搬送される可能性がある。そうすると、用紙搬送路１０中に記録用紙が滞留するジャムが発生する可能性がある。
【００５４】
通常、ジャムが発生した場合、使用者あるいは管理者等の人為的作業によって原因である記録用紙を取り除き、その除去作業が終了すると画像処理が再開される。しかしながら、ジャムの原因となった記録用紙を除去する際に、搬送ローラ６６ａに挟まって記録用紙が切れたり、あるいは、熱によって搬送ローラ６６ａにこびり付く等の細かな記録用紙の残骸が残る可能性がある。
【００５５】
そこで、本実施形態の画像処理装置１００では、詰まった記録用紙を除去し、この除去作業後に、ジャムが解消したかを確認するために、一度用紙搬送路１０にテストシートを搬送させ、搬送させたテストシートがジャムした箇所を通過するのを検出したら処理を再開する。
【００５６】
詳しくは、画像処理装置１００は、記録用紙の搬送中に発生したジャムの箇所を検出する位置検出手段４１と、前記位置検出センサ６９の検出結果に基づいてジャム状態を判別する判別手段４２と、ジャムが解消したかを検査する検査手段４３と、前記検査手段４３によるジャムの箇所の検査が終了した時に処理を再開させる再開手段４４とを備える。
【００５７】
位置検出手段４１は、搬送中の記録用紙を検出する複数の位置検出センサ６９の出力から用紙搬送路１０中のジャムの箇所を特定する。
【００５８】
判別手段４２は、位置検出センサ６９の検出結果から記録用紙のジャム状態、例えば、位置検出センサ６９のところで滞留する滞留ジャムなのか、次の位置検出センサ６９まで到着しない未到着ジャムなのかを判別する。詳しくは、判別手段４２は、各位置検出センサ６９における検出時間を記憶して、タイムテーブルを作成する。判別手段４２は、位置検出センサ６９の検出時間から未到着ジャムか滞留ジャムかを判別する。
【００５９】
具体的には、図５に示すように、位置検出センサ６９が給紙センサ６９ａの場合、給紙トレイ１１から記録用紙がピックアップされた時間をｔ０１と設定されると、給紙センサ６９ａが搬送された記録用紙の先端を検出するまでの時間のリミットがｔ１１と設定される。このとき、記録用紙の通過状態は、通過前となる。そして、記録用紙が給紙センサ６９ａに到着すると、記録用紙の通過状態は通過中となる。給紙センサ６９ａが所定時間ｔ１１までに記録用紙を検出しなかった場合は、判別手段４２は、給紙トレイ１１と給紙センサ６９ａとの間でジャムした未到着ジャムと判別する。
【００６０】
記録用紙が給紙センサ６９ａに到着すると、記録用紙が通過するまでの時間ｔ２１が設定される。記録用紙が給紙センサ６９ａを通過すると、通過状態は通過後となる。記録用紙が所定時間ｔ２１までに給紙センサ６９ａを通過しなかった場合は、判別手段４２は、その位置で記録用紙が滞留した滞留ジャムと判別する。
【００６１】
そして、記録用紙が給紙センサ６９ａを通過したと同時に、次の記録用紙がピックアップされた時間ｔ０２が設定され、その記録用紙の到着時間ｔ１２が設定される。なお、判別手段４２は、何枚目のシートを検出しているかをポインタによって確認する。
【００６２】
位置検出センサ６９が給紙センサ６９ａの場合は、図７に示すように、給紙トレイ１１から記録用紙がピックアップされた時間をｔ０１とすると、給紙センサ６９ａが搬送された記録用紙の先端を検出するまでの時間のリミットがｔ１１となる。すなわち、記録用紙が搬送されてから給紙センサ６９ａが搬送された記録用紙を検出するまでに所定時間であるｔ１１までに検出することができないと、判別手段４２は、給紙トレイ１１と給紙センサ６９ａとの間でジャムした未到着ジャムと判別する。また、記録用紙の先端を検出してからこの記録用紙の後端が通過するまでに必要とされる時間がｔ２１となるので、その時間までに記録用紙が給紙センサ６９ａを通過しない場合は、その位置で記録用紙が滞留した滞留ジャムと判別する。
【００６３】
また、位置検出センサ６９が転写センサ６９ｂの場合は、図６に示すように、給紙センサ６９ａが記録用紙を検出した時間をｔ０１とすると、転写センサ６９ｂが搬送された記録用紙の先端を検出するまでの時間のリミットがｔ１１となる。すなわち、記録用紙が給紙センサ６９ａで検出されてから転写センサ６９ｂが搬送された記録用紙を検出するまでに所定時間であるｔ１１までに検出することができないと、判別手段４２は、給紙センサ６９ａと転写センサ６９ｂとの間でジャムした未到着ジャムと判別する。また、記録用紙の先端を検出してからこの記録用紙の後端が通過するまでに必要とされる時間がｔ２１となるので、その時間までに記録用紙が転写センサ６９ｂを通過しない場合は、その位置で記録用紙が滞留した滞留ジャムと判別する。
【００６４】
また、図９に示すように、位置検出センサ６９が、定着センサ６９ｃ、排紙センサ６９ｄ、あるいは、排紙センサ６９ｅの場合も同様に、それぞれの位置検出センサ６９の上流側の位置検出センサ６９が検出した時間から到着時間、通過時間が設定され、その時間内に検出あるいは通過しなかったときに、未到着ジャムあるいは滞留ジャムと判断する。
【００６５】
検査手段４３は、ジャムが発生した箇所における記録用紙が除去されたかを確認するために、テストシートを搬送するように搬送ローラ６６ａを駆動させ、搬送したテストシートがジャムした箇所に到着あるいは通過したかの位置検出センサ６９からの出力を受信する。検査手段は、位置検出センサ６９からの出力に基づいて、解消したか否かを特定する。
【００６６】
ここで、テストシートとは、ジャムした記録用紙の次に搬送されている記録用紙のことである。通常、記録用紙は連続して用紙搬送路１０を搬送される。そのため、ジャムした箇所までに、すでに搬送された記録用紙が滞留している。そのため、新たにテストシートを搬送させることができない。そこで、ジャムした箇所に素早くテストシートを搬送するには、ジャムした箇所から一番近い箇所の用紙搬送路１０に待機している記録用紙を使用する。これにより、ジャムした箇所から搬送方向上流側に滞留し手いる記録用紙を除去することなく、テストシートをジャムした箇所に搬送させることができる。
【００６７】
また、検査手段４３は、ジャムした記録用紙を取り除く際に、すでに搬送され、搬送路に滞留している記録用紙も同時に取り除いた場合、ジャム発生時に搬送されていた記録用紙と同じ給紙トレイ１１に収容されている記録用紙を搬送する。これにより、ジャムが発生した状態と同じ条件で検査することができる。すなわち、ジャムした時と同じ搬送経路に沿って検査することができるので、ジャムした箇所に対して正確な検査を行なうことができる。
【００６８】
なお、テストシートは、特にこの限りではなく、用紙搬送路１０を搬送することができるシートであれば何でも良い。例えば、用紙搬送路１０を搬送可能な最小サイズのシート、用紙搬送路１０を搬送可能な最大幅のシート、搬送部材をクリーニングする不織布や化繊ペーパ等のクリーニングシート、あるいは、ジャムが発生した箇所から一番近い距離にある給紙トレイ１１ａのシートであっても良い。
【００６９】
再開手段４４は、テストシートがジャムした箇所を通過したことを合図として、停止させていた処理を再開させる。具体的には、図８に示すように、通常、一定時間Ｔ０で記録用紙を給紙トレイ１１から搬送している。ジャムが発生し、処理が停止した場合は、一旦、給紙トレイ１１からの記録用紙の搬送を停止させる。その後、検査手段４３の検査終了後に処理を再開する。
【００７０】
ここで、処理の開始は、種々考えることができる。例えば、図１０に示すように、記録用紙を搬送するタイミングは、常に先に搬送した時間から一定時間Ｔ０の間隔を空けて搬送する。すなわち、検査手段４３によるジャムした箇所の検査が終了した後、最初にくる搬送タイミングで処理を開始する。これにより、用紙搬送路１０中の記録用紙同士の間隔は常に一定となるため、記録用紙同士が重なり合うことがない。
【００７１】
また、図９に示すように、検査手段４３によるジャムした箇所の検査が終了したと同時に処理を再開する。これにより、より素早くジャムによる停止から復帰することができる。
【００７２】
次に、上記のように構成した画像処理装置１００で、ジャムの発生から画像処理の再開までの動作を図１１を参照にして説明する。
【００７３】
先ず、機器制御部５０からの印字指示があると、指定された記録用紙が収納された給紙トレイ１１内の最も上に位置する記録用紙からピックアップローラ６１によって用紙搬送路１０へ送り出される。送り出された記録用紙は、給紙ローラ６３および捌きローラ６４によって用紙搬送路１０の搬送方向下流側に１枚ずつ搬送される。そして、搬送された記録用紙は、搬送ローラ６６ａによって用紙搬送路１０に沿って搬送される（Ｓ１）。
【００７４】
このとき、機器制御部５０は、用紙搬送路１０に備えられた複数の位置検出センサ６９から検出結果からジャムが発生したか否かを判断する（Ｓ２）。ジャムの発生を検出しなかった場合は、処理が終了したかを確認し（Ｓ３）、終了している場合はそのまま終了となり、終了していない場合は、印刷処理を続ける（Ｓ１）。
【００７５】
機器制御部５０がジャムを発生したと判断した場合、その旨を使用者に報知する（Ｓ４）。このとき、機器制御部５０の位置検出手段４１は、位置検出センサ６９からの検出結果に基づいてジャムの発生箇所を特定し、その旨を使用者に報知する。
【００７６】
また、機器制御部５０の判別手段４２は、位置検出センサ６９からの検出結果に基づいてジャム状態を判別する。すなわち、位置検出センサ６９のところで滞留する滞留ジャムなのか、次の位置検出センサ６９まで到着しない未到着ジャムなのかを判別する。
【００７７】
使用者または管理者は、ジャム発生の報知を受けると、ジャムの原因となった記録用紙の除去作業を行なう。機器制御部５０は、画像処理装置１００のカバーに開閉センサが設けられており、機器制御部は、この開閉センサからの検出結果によって除去作業が終了したかを確認する（Ｓ５）。カバーが閉じたことを確認し、機器制御部５０が除去作業を終了したと確認したら、用紙搬送路１０に記録用紙があるかを確認する（Ｓ６）。記録用紙がまだ残っていると判断した場合は、再度ジャム発生の報知を行い、使用者または管理者によってジャムの原因となった記録用紙の除去作業を行なう。
【００７８】
機器制御部５０が用紙搬送路１０内に記録用紙が残っていないと判断したら、検査手段４３は、テストシートを搬送させる（Ｓ７）。このテストシートは、ジャム発生時に搬送されていた記録用紙が収納されていた給紙トレイ１１に収容されている記録用紙、すなわち、ジャム発生時に搬送されていた記録用紙と同じ記録用紙である。
【００７９】
次に、搬送されたテストシートがジャムした箇所を通過するか否かを検出する（Ｓ８）。搬送されたテストシートを検出しなかった場合、機器制御部５０は、ジャムした箇所の位置検出センサ６９よりも搬送方向上流側の位置検出センサ６９がテストシートを検出してから所定時間経過しているかを確認する（Ｓ９）。所定時間が経過していない場合は、再度、ジャムした箇所の位置検出センサ６９からの検出があるかを確認する（Ｓ８）。所定時間内にテストシートが通過していない場合は、ジャムが発生したと判断し、その旨を使用者に報知する（Ｓ４）。所定時間内にテストシートが通過した場合は、ジャムが解消した判断し、再開手段４４が処理を再開する（Ｓ１０）。
【００８０】
ここで、判別手段４２によって判別されたジャム状態によって再開手段４４が再開させるタイミングが異なる。例えば、ジャムの判別が未到着ジャムの場合は、位置検出センサ６９が搬送されたテストシートの先端を検出したときに処理を再開する。また、ジャムの判別が滞留ジャムの場合は、位置検出センサ６９が搬送されたテストシートの通過、すなわち、テストシートの後端を検出したときに処理を再開する。ところが、位置検出センサが、定着ユニット９を通過したかを検出する定着センサと、転写ユニット８を通過したかを検出する転写センサの場合、再開手段４４は、判別手段４２の判別結果に問わず、搬送されたテストシートの後端が定着センサを通過したときに処理を再開する。
【００８１】
なお、本発明は、上記実施形態に限定されるものではなく、本発明の範囲内で上記実施形態に多くの修正および変更を加え得ることは勿論である。画像処理装置として、コピーモードおよびプリントモードを有する複合機であってもよく、さらにはコピー機、スキャナ、プリンタといったように単一のモードだけの専用機であってもよい。
【００８２】
また、本実施形態は、用紙搬送装置に備えた場合を説明しているが、特にこの限りではなく、原稿搬送装置に採用してもよい。
【００８３】
また、検査手段は、テストシートを搬送させることで搬送路の異常が解消したか否かを検査しているが、特にこの限りではない。例えば、位置検出センサ毎に検査板を備える。この検査板の移動により、位置検出センサがＯＮ−ＯＦＦ等の出力をするかの検査を行なう。この構成により、検査手段は、位置検出センサの誤動作による異常が発生した場合において、異常が回復しとことの確認を行なうことができる。
【図面の簡単な説明】
【００８４】
【図１】本発明に係る画像処理装置の全体構成図
【図２】原稿搬送装置の概略図
【図３】用紙搬送装置の概略図
【図４】機器制御部のブロック図
【図５】位置検出センサが給紙センサのタイムテーブルを示す図
【図６】位置検出センサが転写センサのタイムテーブルを示す図
【図７】位置検出センサが給紙センサのタイムテーブルを示す図
【図８】通常時の各位置検出センサの時間経緯の出力を示す図
【図９】一定時間で給紙を再開する場合の各位置検出センサの時間経緯の出力を示す図
【図１０】ジャム解消と同時に給紙を再開する場合の各位置検出センサの時間経緯の出力を示す図
【図１１】ジャム発生から再開までを示すフローチャート図
【符号の説明】
【００８５】
１ａ原稿搬送装置
１ｂ用紙搬送装置
２  画像読取部
３  光書込ユニット
４  現像器
５  感光体
６  帯電器
７  クリーナユニット
８  転写ユニット
９  定着ユニット
１０  用紙搬送路
１１  給紙トレイ
１２  排紙トレイ
１３  光源ホルダ
１４  ミラー群
１５  ＣＣＤ
１６ａレーザ照射部
１６ｂレーザ照射部
１７ａミラー群
１７ｂミラー群
１９  転写ベルト
２０  駆動ローラ
２１  従動ローラ
２２  弾性導電性ローラ
２３  加熱ローラ
２４  加圧ローラ
２７  原稿トレイ
２８  ピックアップローラ
２９  給紙ローラ
３０  捌きローラ
３１  駆動ローラ
３２  従動ローラ
３４  搬送ローラ
３３  レジストローラ
３６  排紙トレイ
３７  排紙ローラ
４１  位置検出手段
４２  判別手段
４３  検査手段
４４  再開手段
５０  機器制御部
５１  操作部
５２  ハードディスク装置
５３  通信部
５４  ＦＡＸモデム
５５  管理部
６１  ピックアップローラ
６３  給紙ローラ
６４  捌きローラ
６５  駆動ローラ
６６  従動ローラ
６６ａ搬送ローラ
６９  通過検出センサ
６９ａ給紙センサ
６９ｂ転写センサ
６９ｃ定着センサ
６９ｄ排紙センサ
６９ｅ排紙センサ
１００画像処理装置
Ｓ１  搬送路
【図１】
2008056465.tif 000003
【図２】
2008056465.tif 000004
【図３】
2008056465.tif 000005
【図４】
2008056465.tif 000006
【図５】
2008056465.tif 000007
【図６】
2008056465.tif 000008
【図７】
2008056465.tif 000009
【図８】
2008056465.tif 000010
【図９】
2008056465.tif 000011
【図１０】
2008056465.tif 000012
【図１１】
2008056465.tif 000013